(57)【要約】【課題】  一酸化炭素を除去する機能を備える空気調節装置を提供する。【解決手段】  シロッコファン１３０とフィルタユニット２５１とを備えている。フィルタユニット２５１は、脱臭フィルタ２５２と、アルデヒド基を有する有機物を除去するフィルタ２５４と、制菌／集塵フィルタ２５４とを備えている。脱臭フィルタ２５２は、一酸化炭素を除去する触媒を含んでいる。【選択図】        図１１
2007029796.tif 000002
【特許請求の範囲】
【請求項１】
送風ファンとフィルタユニットとを備えた空気調節装置であって、
前記フィルタユニットは、一酸化炭素を除去する触媒を含むフィルタを備える、空気調節装置。
【請求項２】
前記フィルタユニットは、アルデヒド基を有する有機物を除去する１の有機物除去フィルタをさらに含む、請求項１に記載の空気調節装置。
【請求項３】
前記有機物除去フィルタが前記触媒を含むフィルタより風下側に配置される、請求項２に記載の空気調節装置。
【請求項４】
前記フィルタユニットは、臭い成分を除去する脱臭剤をさらに含むフィルタを備える、請求項１に記載の空気調節装置。
【請求項５】
前記触媒と前記脱臭剤とを１のフィルタに含む、請求項４に記載の空気調節装置。
【請求項６】
前記１のフィルタが、相対的に上方および下方のいずれか一方に前記触媒を有し、残部に前記脱臭剤を有している、請求項５に記載の空気調節装置。
【請求項７】
前記１のフィルタが、前記脱臭剤に前記触媒を混在させた状態で有している、請求項５に記載の空気調節装置。
【請求項８】
前記１のフィルタが、前記脱臭剤を収納する複数の連結された脱臭剤収納室と、前記触媒を収納する複数の連結された触媒収納室とを有し、
前記脱臭剤収納室と前記触媒収納室とを交互に配置している、請求項５に記載の空気調節装置。
【請求項９】
前記フィルタユニットは、アルデヒド基を有する有機物を除去する１の有機物除去フィルタをさらに含む、請求項５〜８のいずれか１項に記載の空気調節装置。
【請求項１０】
前記有機物除去フィルタが前記１のフィルタより風下側に配置される、請求項９に記載の空気調節装置。
【請求項１１】
前記フィルタユニットは、前記触媒からなる１の触媒フィルタと前記脱臭剤からなる１の脱臭フィルタとを含んでいる、請求項４に記載の空気調節装置。
【請求項１２】
前記触媒フィルタは前記触媒を収納する複数の連結された触媒収納室を有し、前記脱臭フィルタは前記脱臭剤を収納する複数の連結された脱臭剤収納室を有し、
前記触媒収納室の略中心部に、前記脱臭剤収納室の連結部が重なるように配置される、請求項１１に記載の空気調節装置。
【請求項１３】
前記触媒フィルタが前記脱臭フィルタより風下側に配置される、請求項１１または１２に記載の空気調節装置。
【請求項１４】
前記フィルタユニットは、アルデヒド基を有する有機物を除去する１の有機物除去フィルタをさらに含む、請求項１１〜１３のいずれか１項に記載の空気調節装置。
【請求項１５】
前記有機物除去フィルタが前記触媒フィルタより風下側に配置される、請求項１４に記載の空気調節装置。
【請求項１６】
送風ファンとフィルタユニットとを備えた空気調節装置であって、
フィルタユニットは、臭い成分を除去する１の脱臭フィルタと、
アルデヒド基を有する有機物を除去する１の有機物除去フィルタとを含む、空気調節装置。
【請求項１７】
前記有機物除去フィルタが前記脱臭フィルタより風下側に配置される、請求項１６に記載の空気調節装置。
【発明の詳細な説明】
【技術分野】
【０００１】
空気調節装置に関し、たとえば一酸化炭素を除去する触媒を含むフィルタ、またはホルムアルデヒドを除去する１のフィルタを備えた空気調節装置に関する。
【背景技術】
【０００２】
室内の空気の温度、湿度、あるいは汚染度をコントロールする装置として空気調節装置が知られている。これら空気調節装置にあっては、室内の空気を装置内部に取り込み、取り込まれた空気の物性を変化させて所望の状態の空気とした後、装置外部へ吹出す仕組みとなっている。特に、近年の住環境の変化に伴い、室内の空気の汚染度を改善する空気清浄機能を備えた空気調節装置が注目されている。
【０００３】
従来から、集塵機能や脱臭機能を備えた空気清浄機は広く普及しているが、これらの機能に加えて人体に有害な浮遊細菌を制菌または除菌する機能を併せ備えた空気清浄機が近年普及しつつある。ここで、「制菌」とは、繊維状のフィルタに付着した菌の増殖を抑制することをいう。また、「殺菌」とは、微生物を死滅させ、絶対数を減少させることをいう。
【０００４】
このような空気清浄機にあっては、集塵機能、脱臭機能、および制菌機能は通風路内に設置された各種フィルタによって発揮される。空気清浄機は、一般に、各種フィルタとして、集塵機能を有する集塵フィルタと脱臭機能を有する脱臭フィルタとを備えている。集塵フィルタは、空気中の粉塵を捕集する。脱臭フィルタは、空気中の臭い成分を捕集・分解する。制菌フィルタは、人体に有害な浮遊細菌を制菌または除菌する。
【０００５】
脱臭フィルタとして、たとえば、特開平１１−１１４３３３号公報（特許文献１）には、粉末活性炭脱臭部と粒状活性炭脱臭部とを備えるフィルタが開示されている。また、特開平９−２３９２２９号公報（特許文献２）には、木炭とゼオライトとを備える調湿具が開示されている。また、特開２００２−５８７２９号公報（特許文献３）には、活性炭層と不織布層からなる脱臭フィルタが開示されている。
【０００６】
最近、ますます室内環境に対する関心が高まっており、空気清浄機に対し、上記の集塵機能、脱臭機能、および制菌機能等以外にも、人体に有害な物質を分解・除去する機能が求められている。人体に対して有害な物質としては、たとえばトルエンやホルムアルデヒド等のＶＯＣガス（volatile  organic  compound、揮発性有機化合物）や、たばこの煙に含まれる一酸化炭素などがある。
【０００７】
人体に有害な物質を分解・除去する機能を有するフィルタとして、たとえば特開平１０−２３５１２９号公報（特許文献４）には、アルデヒド類除去用の薬剤と窒素系物質除去用の薬剤と硫黄系物質除去用の薬剤とを備えるフィルタが開示されている。
【特許文献１】特開平１１−１１４３３３号公報
【特許文献２】特開平９−２３９２２９号公報
【特許文献３】特開２００２−５８７２９号公報
【特許文献４】特開平１０−２３５１２９号公報
【発明の開示】
【発明が解決しようとする課題】
【０００８】
しかしながら、一酸化炭素を分解・除去するためには、一酸化炭素を含む空気を高温として一酸化炭素を分解・除去できる触媒層に通過すること等が必要である。一酸化炭素を分解・除去するためには、当該触媒層を含む空気の流路は耐高温性であり、当該高温とする機器および触媒層を配置するためのスペースが必要であるが、家庭用空気清浄機などの小型機器に当該機能を備えることは難しい。そのため、上記特許文献１〜４は、一酸化炭素を分解・除去する機能を備えることは困難である。
【０００９】
また、上記特許文献４に開示のフィルタは、アルデヒド類除去用の薬剤を備えているが、そのスペース上の問題から、窒素系物質除去用の薬剤などと混在させて担持させた担体を用いており、アルデヒド類除去のためのみのフィルタとすることは困難である。
【００１０】
それゆえ、本発明の解決しようとする課題は、一酸化炭素を除去する機能を備える、空気調節装置を提供することにある。また、他の本発明の解決しようとする課題は、アルデヒド基を有する有機物除去のためのみのフィルタを備える、空気調節装置を提供することにある。
【課題を解決するための手段】
【００１１】
本発明の一の局面における空気調節装置は、送風ファンとフィルタユニットとを備えている。フィルタユニットは、一酸化炭素を除去する触媒を含むフィルタを備えている。
【００１２】
本発明の一の局面における空気調節装置によれば、一酸化炭素を除去する触媒により、空気中の一酸化炭素を二酸化炭素へ反応させることを促進する。そのため、空気中の一酸化炭素を除去することができる。
【００１３】
また、常温で一酸化炭素を除去することができる触媒をフィルタユニットに備えることにより、空気を高温にする機器を配置するスペースを不要とするので、一酸化炭素を除去する機能を備える空気調節装置を小型化することができる。
【００１４】
なお、「一酸化炭素を除去する触媒」とは、一酸化炭素を除去することができる機能を有していれば、他の物質を除去する機能を有していても良い。
【００１５】
上記空気調節装置において好ましくは、フィルタユニットは、アルデヒド基を有する有機物を除去する１の有機物除去フィルタをさらに含む。
【００１６】
これにより、空気中の一酸化炭素およびアルデヒド基を有する有機物を除去することができる。また、フィルタユニットが１の有機物除去フィルタを含むことにより、アルデヒド基を有する有機物を効果的に除去することができる。
【００１７】
なお、アルデヒド基を有する有機物としては、たとえばホルムアルデヒド、アセトアルデヒド、プロピルアルデヒドなどが挙げられる。アルデヒド基を有する有機物として、特にホルムアルデヒドを除去することが好ましい。ホルムアルデヒドはシックハウスの大きな原因となるからである。
【００１８】
また、「有機物除去フィルタ」とは、アルデヒド基を有する有機物を除去することができる機能を有していれば、他の物質を除去する機能を有していても良い。
【００１９】
上記空気調節装置において好ましくは、有機物除去フィルタが触媒を含むフィルタより風下側に配置される。
【００２０】
フィルタユニットにおいて、触媒を含むフィルタはファンにより吸い込まれた空気の中から大きな集塵を捕集するプレフィルタの役割も担っている。そのため、有機物除去フィルタは有機物をより効果的に除去することができる。
【００２１】
上記空気調節装置において好ましくは、フィルタユニットは、臭い成分を除去する脱臭剤をさらに含むフィルタを備える。これにより、さらに空気中の臭い成分も除去することができる。
【００２２】
上記空気調節装置において好ましくは、触媒と脱臭剤とを１のフィルタに含む。これにより、一酸化炭素および臭い成分を１のフィルタで除去できるので、フィルタユニットの薄型化を図ることができる。
【００２３】
上記空気調節装置において好ましくは、１のフィルタが、相対的に上方および下方のいずれか一方に触媒を有し、残部に脱臭剤を有している。これにより、フィルタユニットの薄型化を図ることができる。
【００２４】
上記空気調節装置において好ましくは、１のフィルタが、脱臭剤に触媒を混在させた状態で有している。これにより、フィルタユニットの薄型化を図ることができる。
【００２５】
上記空気調節装置において好ましくは、１のフィルタが、脱臭剤を収納する複数の連結された脱臭剤収納室と、触媒を収納する複数の連結された触媒収納室とを有し、脱臭剤収納室と触媒収納室とを交互に配置している。これにより、フィルタユニットの薄型化を図ることができる。
【００２６】
上記空気調節装置において好ましくは、フィルタユニットは、アルデヒド基を有する有機物を除去する１の有機物除去フィルタをさらに含む。
【００２７】
これにより、空気中の一酸化炭素およびアルデヒド基を有する有機物を除去することができる。また、フィルタユニットが１の有機物除去フィルタを含むことにより、アルデヒド基を有する有機物を効果的に除去することができる。さらに、有機物除去フィルタの機能のみが低下した場合には、他の部材を交換することなく有機物除去フィルタのみを交換することができるため、利便性に優れたものとなる。
【００２８】
上記空気調節装置において好ましくは、有機物除去フィルタが１のフィルタより風下側に配置される。
【００２９】
フィルタユニットにおいて、触媒を含むフィルタはファンにより吸い込まれた空気の中から大きな集塵を捕集するプレフィルタの役割も担っている。そのため、有機物除去フィルタは有機物をより効果的に除去することができる。
【００３０】
上記空気調節装置において好ましくは、フィルタユニットは、触媒からなる１の触媒フィルタと脱臭剤からなる１の脱臭フィルタとを含んでいる。
【００３１】
なお、「脱臭フィルタ」とは、臭い成分を除去することができれば、他の物質を除去する機能を有していても良い。
【００３２】
これにより、触媒および脱臭剤を多く含むことができる。そのため、空気中の一酸化炭素および臭い成分をより多く除去することができる。また、機能が低下した触媒フィルタおよび脱臭フィルタのいずれか一方のみの交換が容易にできるため、利便性に優れたものとなる。
【００３３】
上記空気調節装置において好ましくは、触媒フィルタは触媒を収納する複数の連結された触媒収納室を有し、脱臭フィルタは脱臭剤を収納する複数の連結された脱臭剤収納室を有し、触媒収納室の略中心部に、脱臭剤収納室の連結部が重なるように配置される。
【００３４】
これにより、触媒収納室と脱臭剤収納室との空間部分同士が重なることはない。そのため、フィルタユニットの薄型化を図ることができる。
【００３５】
上記空気調節装置において好ましくは、触媒フィルタが脱臭フィルタより風下側に配置される。
【００３６】
脱臭フィルタは触媒フィルタよりも大きな集塵を捕集することができる。そのため、触媒フィルタを風上側に配置することにより、一酸化炭素および臭い成分をより効率的に除去することができる。
【００３７】
上記空気調節装置において好ましくは、フィルタユニットは、アルデヒド基を有する有機物を除去する１の有機物除去フィルタをさらに含む。
【００３８】
これにより、空気中の一酸化炭素およびアルデヒド基を有する有機物を除去することができる。また、フィルタユニットが１の有機物除去フィルタを含むことにより、アルデヒド基を有する有機物を効果的に除去することができる。
【００３９】
上記空気調節装置において好ましくは、有機物除去フィルタが触媒フィルタより風下側に配置される。
【００４０】
フィルタユニットにおいて、触媒フィルタおよび脱臭フィルタの少なくともいずれか一方は、ファンにより吸い込まれた空気の中から大きな集塵を捕集するプレフィルタの役割も担っている。そのため、有機物除去フィルタは有機物をより効果的に除去することができる。
【００４１】
本発明の他の局面における空気調節装置は、送風ファンとフィルタユニットとを備えている。フィルタユニットは、臭い成分を除去する１の脱臭フィルタと、アルデヒド基を有する有機物を除去する１の有機物除去フィルタとを含む。
【００４２】
本発明の他の局面における空気調節装置によれば、空気中の臭い成分およびアルデヒド基を有する有機物を除去することができる。また、フィルタユニットが１の有機物除去フィルタを含むことにより、アルデヒド基を有する有機物を効果的に除去することができる。
【００４３】
また、有機物除去フィルタの機能のみが低下した場合には、他の部材を交換することなく有機物除去フィルタのみを交換することができる。そのため、空気調節装置の使用環境に応じてフィルタを交換できるので、利便性に優れる。
【００４４】
上記空気調節装置において好ましくは、有機物除去フィルタが触媒フィルタより風下側に配置される。
【００４５】
フィルタユニットにおいて、脱臭フィルタはファンにより吸い込まれた空気の中から大きな集塵を捕集するプレフィルタの役割も担っている。そのため、有機物除去フィルタは有機物をより効果的に除去することができる。
【発明の効果】
【００４６】
上記構成からなる空気調節装置によれば、一酸化炭素を除去する触媒により、空気中の一酸化炭素を二酸化炭素へ反応させることを促進するため、空気中の一酸化炭素を除去することができる。また、１の脱臭フィルタと１の有機物除去フィルタにより、空気中の臭い成分およびアルデヒド基を有する有機物を効果的に除去することができる。
【発明を実施するための最良の形態】
【００４７】
以下、本発明の実施の形態について、図を参照して詳細に説明する。なお、以下に示す実施の形態においては、空気調節装置として空気清浄機能を有する据え置き型の空気清浄機を例示して説明を行なう。
【００４８】
（実施の形態１）
まず、図１ないし図７を参照して、本発明の実施の形態１における空気清浄機の外観構造について説明する。図１は、実施の形態１における空気清浄機を前面側から見た概略斜視図である。図２は、背面側から見た概略斜視図である。図３は、実施の形態１における空気清浄機の上面図である。図４は、実施の形態１における空気清浄機の前面パネル、フィルタ押さえ枠およびフィルタユニットの組付け構造を示す分解斜視図である。図５（Ａ）は、フィルタ押さえ枠の正面図であり、図５（Ｂ）は、フィルタ押さえ枠の側面図であり、図５（Ｃ）は、フィルタ押さえ枠の上面図である。図６は、フィルタ押さえ枠でフィルタユニットを本体ケーシングに取り付けた状態の概略正面図である。図７は、実施の形態１における空気清浄機において、前面パネル、フィルタ押さえ枠およびフィルタユニットを本体ケーシングから取外した状態の概略斜視図である。
【００４９】
図１ないし図３に示すように、実施の形態１における空気清浄機１００は、本体ケーシング１１０と、前面パネル１４０とを主に備えている。本体ケーシング１１０は、縦長の前面開口の箱状体からなり、その内部には空気清浄機１００の主要部品が納められている。本体ケーシング１１０の下部には、脚部１１２が設けられている。この脚部１１２は、空気清浄機１００を直立状態で床面等に載置するための部位である。また、本体ケーシング１１０の上面には、上面パネル部１１６が設けられており、この上面パネル部１１６には、各種操作ボタンや表示ランプ等が配設されている。なお、本体ケーシング１１０は、必要により複数の部材を組み合わせることによって構成される。
【００５０】
本体ケーシング１１０の背面には、把手部１１４が設けられている。この把手部１１４は、空気清浄機１００を持ち上げて搬送する際等の利便性を考慮して設けられたものである。また、本体ケーシング１１０の背面からは、電源コード１９０が引き出されている。
【００５１】
前面パネル１４０は、その主面から後方に向かって立設して設けられた側部１４１を有しており、本体ケーシング１１０の前面および側面の一部を覆うように本体ケーシング１１０に着脱自在に取付けられる。前面パネル１４０は、装置の動作時において、後述するシロッコファンやモータ等にて発生する騒音が装置外部へと漏れ出さないようにするための遮音部材として取付けられるものであり、同時に装置の外観上の美観を確保するためのものでもある。
【００５２】
図２に示すように、本体ケーシング１１０の側面と前面パネル１４０の側部１４１との間には、隙間が設けられている。この隙間は、吸込口１２４を構成する。吸込口１２４は、装置外部の空気を装置内部へと導入するための開口部である。また、本体ケーシング１１０の側面の上記吸込口１２４に隣接する部分には、埃センサ１３６が設けられている。一方、図２および図３に示すように、本体ケーシング１１０の上部には、吹出口１２６Ａ，１２６Ｂが設けられている。この吹出口１２６Ａ，１２６Ｂは、装置内部において清浄化された空気を装置外部へと導出するための開口部である。
【００５３】
上述のように、本体ケーシング１１０の上面パネル部１１６には、各種操作ボタンや表示ランプ等が配設されている。本実施の形態における空気清浄機１００にあっては、図３に示すように、空気清浄機１００のオン／オフ動作を切換える電源ボタン１６０や、後述するイオン発生装置の運転状態を切換えるイオン発生装置の切換えボタン１６１、空気清浄機１００の運転モードを切換える運転モード切換えボタン１６２、電源オフ状態からワンタッチの操作で特定の運転動作に移行するショートカットボタン１６３等が配設されている。また、上面パネル部１１６には、これらボタンに隣接して、イオン発生装置の運転状態を示すイオン発生装置の動作状態表示ランプ１７１や、空気清浄機１００の運転モードを表示する運転モード表示ランプ１７２、ショートカットボタンの運転動作が行なわれているか否かを示すショートカット動作有無表示ランプ１７３等が配設されている。
【００５４】
さらに、実施の形態１における空気清浄機１００にあっては、空気清浄機１００の前方からの視認が容易となるように、空気清浄機１００の上面に突設された吹出口１２６Ｂと一体化して汚れ状態表示部１７４およびイオン発生装置の動作状態表示部１７５が設けられている。汚れ状態表示部１７４は、その下方に配設された光源である発光ダイオード１７４ａの色彩や輝度等が変調することにより、視覚的に使用者に室内空気の汚れ度合いを示す表示部である。なお、この汚れ状態表示部１７４は、上述の埃センサ１３６および後述の臭いセンサ１３８（図７参照）によって検出された空気の汚染度に応じてその表示が切り換わるように構成されている。一方、イオン発生装置の動作状態表示部１７５は、その下方に配設された発光ダイオード１７５ａの色彩や輝度等が変調することにより、視覚的に使用者にイオン発生装置の運転状態を示す表示部である。なお、このイオン発生装置の動作状態表示部１７５は、上述のイオン発生装置の動作状態表示ランプ１７１と同様の機能を果たす表示手段である。
【００５５】
図４に示すように、本体ケーシング１１０の前面側に設けられた凹部１１８には、フィルタユニット１５１が収容配置される。フィルタユニット１５１の構成としては、種々の構成が考えられるが、実施の形態１における空気清浄機１００にあっては、前面側から順に、脱臭フィルタ１５２、有機物除去フィルタ１５３および制菌／集塵フィルタ１５４の順で３つのフィルタが積層配置される。これら脱臭フィルタ１５２、有機物除去フィルタ１５３および制菌／集塵フィルタ１５４は、その前方に配置されるフィルタ押さえ枠１５０が本体ケーシング１１０の前面に固定されることにより、本体ケーシング１１０の凹部１１８に保持されることになる。
【００５６】
なお、実施の形態１ではフィルタユニット１５１は３つのフィルタを積層配置しているが、この構成に特に限定されない。フィルタユニット１５１はフィルタを１枚以上備えていればよく、たとえば脱臭フィルタ１５２のみを含む構成としてもよい。
【００５７】
実施の形態１では、脱臭フィルタ１５２に一酸化炭素を除去する触媒を含んでいる。具体的には、担持金属としてパラジウム化合物を０．１〜１％、銅化合物を４〜７％、水を０．１〜２％、残部を担体として多孔質のスチレン系ポリマーからなるように作製された触媒を用いている。当該触媒を用いることにより、常温で、空気中の一酸化炭素を二酸化炭素へ反応させることを促進する。よって、空気中の一酸化炭素を除去することができる。当該触媒として、たとえば、（株）新明電子製のＧ３ＫＫ（型番）を用いた。
【００５８】
また、脱臭フィルタ１５２は活性炭などの脱臭機能を有する物質（脱臭剤）が内包されたフィルタであり、臭い成分を吸着することにより脱臭機能を発揮する。脱臭フィルタ１５２として、実施の形態１では、脱臭剤として活性炭を用いている。活性炭は、たとえば形状を粒状、種類をやしがら系、石炭ピッチ系、ポリアクリロニトリル系、またはセルロース系、平均細孔径を１０〜１３オングストロームとしたものを用いている。なお、活性炭は特にこれに限定されず、たとえば形状は繊維状としてもよい。
【００５９】
実施の形態１では、脱臭フィルタ１５２は一酸化炭素を除去する触媒と活性炭とを含んでおり、それらを封入する封入部材として後述する柔軟な材料を用いているため、脱臭フィルタ１５２のみでは安定して据え置きすることができない。そこで、後述するように、フィルタ押さえ枠１５０に取り付けるため、脱臭フィルタ１５２の上端と側壁を結ぶフィルタ取付け帯１５２Ａを２つ有している（図６参照）。一方、脱臭フィルタ１５２は上記の封入部材を用いているため、脱臭フィルタ１５２は洗濯機などに投入して洗浄し、再生することが可能となる。そのため、長期にわたり使用して脱臭能力が低下した場合には、脱臭フィルタ１５２を巻き、輪ゴムや紐でくくって洗濯機に投入するなどをすれば、洗浄を容易に行なうことができる。
【００６０】
また、有機物除去フィルタ１５３として、実施の形態１では、ホルムアルデヒドを除去する１のフィルタを備えている。ホルムアルデヒド（ＨＣＨＯ）を除去するフィルタは、エチレン尿素（Ｃ2（ＮＨ）2ＣＯ）を含んでいる。エチレン尿素を含むことにより、下記の化学式１に示すように化学反応させることができる。このメカニズムにより、空気中のホルムアルデヒドを除去することができる。
【００６１】
【化１】
2007029796.tif 000003
【００６２】
また、制菌／集塵フィルタ１５４は、実施の形態１ではＨＥＰＡ（High  Efficiency  Particulate  Air)フィルタを用いている。ＨＥＰＡフィルタは、ポリエステル／ビニロン系不織布からなる骨材に電石加工したメルトプロ−不織布を合わせて濾材とし、これを折り畳んだ上、その上下面にハイドロキシアパタイト加工した不織布からなる抗菌シートを重ねて熱圧着し、ホットメルト処理した不織布からなる枠を溶着したものであり、微細な塵埃を捕集するものである。
【００６３】
また、メルトプロ−不織布は、相対的に細い繊維径約１μｍと相対的に太い繊維径３μｍとが組み合わされた繊維からなる。そのため、従来に比べて制菌／集塵フィルタ１５４の圧損が小さくなり、体積を約３５％低減することができた。
【００６４】
また、ＨＥＰＡフィルタは、制菌機能も付加されているので、ＨＥＰＡフィルタに付着した細菌の繁殖を押さえることもできる。
【００６５】
図５（Ａ）〜（Ｃ）に示すように、フィルタ押さえ枠１５０は、枠体１５０ａと、切込み部１５０ｂと、引掛け部１５０ｃ、差込み部１５０ｄとを備える。枠体１５０ａの正面形状は四角形であり、その内部に四角形の中空を有するように数箇所において対向する辺をそれぞれ結ぶ部材を含んでいる。実施の形態１では枠体１５０ａは、５段４列の中空を形成する中空枠を含む。該中空において空気を吸い込むことができる。切込み部１５０ｂは、枠体１５０ａの外周において上端の辺の両角近傍に２箇所と、上端の辺と接続される辺において該角の近傍に２箇所の合計４箇所に、脱臭フィルタ１５２に設けられたフィルタ取付け帯１５２Ａが留まる程度の深さの切込みを有する形状としている。
【００６６】
また、引掛け部１５０ｃは、枠体１５０ａの上端の辺と２箇所で接続され、フィルタユニット１５１を本体ケーシング１１０の前面に固定するときに引っ掛けることができる形状としている。差込み部１５０ｄは、枠体１５０ａの下端の辺と２箇所で接続され、フィルタユニット１５１を本体ケーシング１１０の前面に固定するときに差し込むことができる形状としている。
【００６７】
図６に示すように、フィルタユニット１５１を本体ケーシング１１０に固定するためには、まず、フィルタ押さえ枠１５０に備えられているそれぞれの切込み部１５０ｂに、脱臭フィルタ１５２に備えられているそれぞれのフィルタ取付け帯１５２Ａをはめ込む。これにより、脱臭フィルタ１５２がフィルタ押さえ枠１５０に固定される。次に、フィルタ押さえ枠１５０およびフィルタユニット１５１を本体ケーシング１１０の前面に配置する。次いで、引掛け部１５０ｃおよび差込み部１５０ｄをそれぞれ本体ケーシング１１０の所定場所にはめ込む。これにより、フィルタ押さえ枠１５０でフィルタユニット１５１を本体ケーシング１１０の前面に固定することができる。
【００６８】
図７に示すように、本体ケーシング１１０の凹部１１８の後方に設けられた仕切り壁１２０には、連通孔１２１が設けられており、この連通孔１２１の前面に金属ガード１２２が取付けられている。仕切り壁１２０は、本体ケーシング１１０の内部空間を前方空間Ｓ１（図８参照）と後方空間Ｓ２（図８参照）とに仕切るものであり、金属ガード１２２は、メンテナンス作業時等に作業者が過って動作中のファンに指を差し込まないためのガード部材である。また、本体ケーシング１１０の前面の所定位置には、臭いセンサ１３８が設けられている。
【００６９】
次に、図８ないし図１０を参照して、実施の形態１における空気清浄機１００の内部構造および装置本体内部における空気の流れについて説明する。図８は、実施の形態１における空気清浄機の図１に示すＶＩＩＩ−ＶＩＩＩ線に沿った模式断面図であり、図９は、図１に示すＩＸ−ＩＸ線に沿った模式断面図である。図１０は、本実施の形態における空気清浄機において、本体ケーシングの背面部分を構成する部材を取外した状態を示す一部破断背面図である。
【００７０】
図８および図９に示すように、上述の空気清浄機１００の内部には、仕切り壁１２０が位置している。仕切り壁１２０の前方には、脱臭フィルタ１５２、有機物除去フィルタ１５３および制菌／集塵フィルタ１５４の３つの構成からなるフィルタユニット１５１が配置されており、その前方には前面パネル１４０が配置されている。フィルタユニット１５１は、前面パネル１４０と仕切り壁１２０との間に位置する前方空間Ｓ１を前後方向に２分割しており、これら空間はそれぞれ空気の流路となる。なお、図９に示すように、前方空間Ｓ１は、本体ケーシング１１０の側方において吸込口１２４を介して装置外部と連通している。
【００７１】
図８ないし図１０に示すように、仕切り壁１２０の後方には、送風ファンとしてシロッコファン１３０が配置されている。シロッコファン１３０は、その後方に配置されたモータ１３２によって回転駆動される。なお、仕切り壁１２０に設けられた連通孔１２１は、シロッコファン１３０の吸い込み面と対面して設けられている。
【００７２】
本体ケーシング１１０の後方空間Ｓ２は、本体ケーシング１１０の上部に設けられた吹出口１２６Ａ，１２６Ｂに連通している。吹出口１２６Ａ，１２６Ｂのそれぞれには、ルーバ１２６ａ，１２６ｂが設けられている。ルーバ１２６ａ，１２６ｂは、吹出口１２６Ａ，１２６Ｂから吹き出される空気の風向きを整えるためのものである。
【００７３】
本体ケーシング１１０の後方空間Ｓ２には、流路形成部材１２３が配置されている。この流路形成部材１２３は、シロッコファン１３０によって後方空間Ｓ２に導入された空気の流れを吹出口１２６Ａ，１２６Ｂに導くためのものであり、仕切り壁１２０とによって後方空間Ｓ２内における空気の流路を形成する部材である。流路形成部材１２３は、下部においてシロッコファン１３０を取り囲み、上部においてシロッコファン１３０から吹き出された空気を吹出口１２６Ａ，１２６Ｂに導く形状に形成されている。
【００７４】
後方空間Ｓ２に面する仕切り壁１２０の所定位置には、正イオンおよび負イオンの少なくともいずれか一方を、後方空間Ｓ２を通過する空気に対して放出するイオン発生装置１３４が設けられている。イオン発生装置１３４においては、イオン発生素子に設けられた電極間に交流電圧を印加することにより、空気中の酸素ないし水分がイオン化される。そして、このイオン発生装置１３４のイオン放出面を空気の流路に対面配置させることにより、発生したイオンを空気の流れに乗せて装置外部へと放出する。
【００７５】
上記構成の空気清浄機１００にあっては、シロッコファン１３０がモータ１３２によって回転駆動されることにより、本体ケーシング１１０の前方空間Ｓ１において負圧が生じ、本体ケーシング１１０の側方に位置する吸込口１２４を介して室内の空気が前方空間Ｓ１に取り込まれる（図９参照）。取り込まれた空気は、フィルタユニット１５１を通過する際に脱臭処理および一酸化炭素の除去処理、ホルムアルデヒドの吸着処理、集塵処理および制菌処理が順に施され、仕切り壁１２０に設けられた連通孔１２１を通過して後方空間Ｓ２へと導入される（図８および９参照）。
【００７６】
なお、このフィルタユニット１５１を通過する際、シロッコファン１３０により吸い込まれた空気の中から大きな集塵を捕集するプレフィルタの役割も担っている。
【００７７】
後方空間Ｓ２に流入した空気は、シロッコファン１３０の周面部から外側に向かって吹き出される。シロッコファン１３０から吹き出された空気は、流路形成部材１２３に導かれて後方空間Ｓ２内を上昇し、イオン発生装置１３４によって所定濃度の正イオンまたは／および負イオンが付加されて吹出口１２６Ａ，１２６Ｂより室内へと吹き出される（図８および１０参照）。なお、図８ないし図１０においては、空気の流れを矢印にて示している。
【００７８】
以上説明したように、本発明の実施の形態１における空気清浄機１００によれば、シロッコファン１３０とフィルタユニット１５１とを備え、フィルタユニット１５１は、一酸化炭素を除去する触媒を含むフィルタを備えている。そのため、一酸化炭素を除去する触媒により、空気中の一酸化炭素を二酸化炭素へ反応させることを促進する。よって、空気中の一酸化炭素を除去することができる。
【００７９】
また、実施の形態１における一酸化炭素を除去する触媒は、常温で一酸化炭素を除去することができる。そのため、空気を高温にする機器を配置するスペースを不要とするので、一酸化炭素を除去する機能を備える空気調節装置を小型化することができる。
【００８０】
また、実施の形態１における一酸化炭素を除去する触媒を備えることにより、フィルタユニット１５１を薄型化にすることができる。そのため、フィルタユニット１５１は、アルデヒド基を有する有機物を除去する１の有機物除去フィルタ１５３をさらに含むことができる。よって、ホルムアルデヒド等のアルデヒド基を有する有機物を効果的に除去することができる。
【００８１】
さらに、有機物除去フィルタ１５３を脱臭フィルタ１５２の風下側に配置している。脱臭フィルタ１５２は、空気の中から大きな集塵を捕集するプレフィルタの役割も担っている。そのため、有機物除去フィルタ１５３は有機物をより効果的に除去することができる。
【００８２】
さらには、フィルタ押さえ枠１５０の一部に切込み部１５０ｂを備えている。そのため、衝撃や取り扱い時に脱臭フィルタ１５２のフィルタ取付け帯１５２Ａが外れることや、脱臭フィルタ１５２が落下することなどを防止できる。よって、空気清浄機１００の利便性をさらに向上することができる。
【００８３】
（実施の形態２）
次に、図１１ないし図１３を参照して、実施の形態２における空気清浄機について説明する。図１１は、本発明の実施の形態２における空気清浄機の断面模式図である。図１２は、本発明の実施の形態２におけるフィルタユニットの断面図である。図１３（Ａ）は、脱臭フィルタの正面図であり、図１３（Ｂ）は、脱臭フィルタの一部破断断面図であり、図１３（Ｃ）は、脱臭フィルタの上面図である。
【００８４】
図１１を参照して、実施の形態２における空気清浄機２００の構成は、基本的には図８に示した実施の形態１における空気清浄機１００と同様の構成を備えるが、脱臭フィルタについてより具体的に示したものである。以下、当該脱臭フィルタを中心に詳述する。
【００８５】
図１１および図１２を参照して、実施の形態２における脱臭フィルタ２５２は、一酸化炭素を除去する触媒２５２ａと臭い成分を除去する脱臭剤２５２ｂとを１のフィルタに含む。また、１のフィルタである脱臭フィルタ２５２において、相対的に下方に触媒２５２ａを有し、残部に脱臭剤２５２ｂを有している。具体的には、図１２に示すように、脱臭フィルタ２５２は９の袋体のうち、下から一番目と二番目の袋体２５２ｃ内部に触媒２５２ａを収納し、残部の７の袋体２５２ｃ内部に脱臭剤２５２ｂを収納している。
【００８６】
図１３を参照して、脱臭フィルタ２５２の形状は、脱臭剤２５２ｂを収納する複数の連結された脱臭剤収納室と、触媒２５２ａを収納する複数の連結された触媒収納室とを有し、正面形状は四角形としている。脱臭剤収納室および触媒収納室のそれぞれの外形は、略同一の袋体２５２ｃとし、袋体２５２ｃは２枚のメッシュを縫い合わせたものとしている。メッシュの粗さは、粒状の触媒２５２ａおよび脱臭剤２５２ｂの破片が外部に漏れ出さない程度のものを用いている。また、脱臭フィルタ２５２は、その上端および下端に、通気性のスペーサ２５２ｄを有している。
【００８７】
実施の形態２における空気清浄機２００の内部構造および装置本体内部における空気の流れについては、実施の形態１における空気清浄機１００の内部構造および装置本体内部における空気の流れと同様であるので、その説明は繰り返さない。
【００８８】
以上説明したように、本発明の実施の形態２における空気清浄機２００によれば、脱臭フィルタ２５２は触媒２５２ａと脱臭剤２５２ｂとを１のフィルタに含んでいる。そのため、一酸化炭素および臭い成分を１のフィルタで除去できる。よって、フィルタユニット２５１の薄型化を図ることができる。
【００８９】
次に、実施の形態２の変形例について説明する。図１４ないし図１９は、本発明の実施の形態２における空気清浄機２００を構成するフィルタユニット２５１の変形例１〜６を示す断面図である。変形例１ないし６におけるフィルタユニットの構成は、実施の形態２におけるフィルタユニット２５１と同様の構成を備えるが、脱臭フィルタ２５２の構成において異なる。
【００９０】
図１４は、変形例１におけるフィルタユニット２５１の断面図である。変形例１の脱臭フィルタ２５２は、１のフィルタであり、相対的に上方に触媒２５２ａを収納し、残部に脱臭剤２５２ｂを収納している。具体的には、図１４に示すように、脱臭フィルタ２５２の上から一番目と二番目の袋体２５２ｃに触媒２５２ａを収納している触媒収納室を有しし、残部の７の袋体２５２ｃに脱臭剤２５２ｂを収納する脱臭剤収納室を有している。
【００９１】
図１５は、変形例２におけるフィルタユニット２５１の断面図である。変形例２の脱臭フィルタ２５２は、上方に脱臭剤２５２ｂを収納する袋体２５２ｃと、下方に触媒２５２ａを収納する別の枠材２５２ｅとを備える。別の枠材２５２ｅは、据え置きができる形状としている。
【００９２】
なお、変形例２の脱臭フィルタ２５２において、触媒２５２ａは脱臭剤２５２ｂとは異なる部材に収納されている。そのため、脱臭剤２５２ｂを収納する脱臭剤収納室は洗濯機などで洗うことが可能であるので、脱臭剤２５２ｂのみを再生したい場合には利便性が高いものとなる。
【００９３】
図１６は、変形例３におけるフィルタユニット２５１の断面図である。変形例３の脱臭フィルタ２５２は、本体ケーシング１１０に取り付けるときに略中央部に触媒２５２ａを収納する触媒収納室が配置されるように備えている。具体的には図１６に示すように、脱臭フィルタ２５２は、９つの袋体２５２ｃのうち、下から４番目と５番目の袋体２５２ｃに触媒収納室を有し、残部の袋体２５２ｃに脱臭剤収納室を有している。
【００９４】
図１７は、変形例４におけるフィルタユニット２５１の断面図である。変形例４の脱臭フィルタは、脱臭剤収納室と触媒収納室とを交互に配置している。具体的には、図１７に示すように、９つの袋体２５２ｃのうち、下から順に脱臭剤収納室と触媒収納室とが交互に配置され、上端の袋体に脱臭剤収納室が配置されている。
【００９５】
図１８は、変形例５におけるフィルタユニット２５１の断面図である。変形例５の脱臭フィルタは、図１８に示すように、脱臭剤２５２ｂに触媒２５２ａを混在させた状態で有している。
【００９６】
図１９は、変形例６におけるフィルタユニット２５１の断面図である。変形例６におけるフィルタユニットは、触媒からなる１の触媒フィルタ２５５と脱臭剤からなる１の脱臭フィルタ２５６とを含んでいる。具体的には、図１９に示すように、触媒フィルタ２５５の各触媒収納室の略中心部に、脱臭フィルタ２５６の各脱臭剤収納室の連結部が重なるように配置されている。
【００９７】
また、変形例６におけるフィルタユニットにおいては、脱臭フィルタ２５５がプレフィルタの役割も担うことができるので、触媒フィルタ２５５が脱臭フィルタ２５６の風下側に配置されている。
【００９８】
以上説明したように、変形例１ないし５におけるフィルタユニット２５１によれば、脱臭フィルタ２５２は触媒２５２ａと脱臭剤２５２ｂとを１のフィルタに含んでいる。そのため、一酸化炭素および臭い成分を１のフィルタで除去できる。よって、フィルタユニット２５１の薄型化を図ることができる。
【００９９】
また、変形例６におけるフィルタユニット２５１によれば、触媒および脱臭剤をより多く含むことができる。そのため、空気中の一酸化炭素および臭い成分をより多く除去することができる。また、触媒収納室と脱臭剤収納室との空間部分同士が重なることはない。そのため、フィルタユニット２５１の薄型化を図ることができる。
【０１００】
（実施の形態３）
次に、図２０および図２１を参照して、本発明の実施の形態３における空気清浄機について説明する。図２０は、本発明の実施の形態３における空気清浄機を示す断面図である。図２１は、本発明の実施の形態３におけるフィルタユニットの断面図である。
【０１０１】
図２０を参照して、実施の形態３における空気清浄機３００の構成は、基本的には図８に示した実施の形態１における空気清浄機１００と同様の構成を備えるが、フィルタユニットの構成について図８に示したフィルタユニット１５１と異なる。
【０１０２】
図２１に示すように、実施の形態３における空気清浄機３００を構成するフィルタユニット３５１は、臭い成分を除去する１の脱臭フィルタ３５２と、アルデヒド基を有する有機物を除去する１の有機物除去フィルタ３５３とを含む。詳細には、フィルタユニット３５１は、脱臭フィルタ３５２と、有機物除去フィルタ３５３と、制菌／集塵フィルタ３５４とを備える。
【０１０３】
脱臭フィルタ３５２は、活性炭などの脱臭機能を有する物質（脱臭剤３５２ｂ）のみが内包されたフィルタであり、臭い成分を吸着することにより脱臭機能を発揮する。実施の形態３では、実施の形態１と同様に脱臭剤として活性炭を用いている。
【０１０４】
また、有機物除去フィルタ３５３は、ホルムアルデヒドを除去するフィルタとしている。実施の形態３では、実施の形態１と同様のホルムアルデヒドを除去するフィルタを用いている。
【０１０５】
また、制菌／集塵フィルタ３５４は、実施の形態３では、実施の形態１と同様のＨＥＰＡフィルタを用いている。
【０１０６】
図２０および図２１を参照して、有機物除去フィルタ３５３が脱臭フィルタ３５２より風下側に配置される。詳細には、空気の流れ方向に対して、風上から順に、脱臭フィルタ３５２、有機物除去フィルタ３５３、制菌／集塵フィルタ３５４の順で３つのフィルタが積層配置される。
【０１０７】
実施の形態３における空気清浄機３００の内部構造および装置本体内部における空気の流れについては、実施の形態１における空気清浄機１００の内部構造および装置本体内部における空気の流れと同様であるので、その説明は繰り返さない。
【０１０８】
以上説明したように、実施の形態３における空気清浄機３００によれば、フィルタユニット３５１は、臭い成分を除去する１の脱臭フィルタ３５２と、アルデヒド基を有する有機物を除去する１の有機物除去フィルタ３５３とを含んでいる。そのため、アルデヒド基を有する有機物を効果的に除去することができる。
【０１０９】
また、有機物除去フィルタ３５３の機能のみが低下した場合には、他の部材を交換することなく有機物除去フィルタ３５３のみを交換することができる。そのため、空気清浄機３００の使用環境に応じて各フィルタを交換できるので、利便性に優れる。
【０１１０】
さらに、有機物除去フィルタ３５３が脱臭フィルタ３５２より風下側に配置される。フィルタユニット３５１において、脱臭フィルタ３５２はシロッコファン１３０により吸い込まれた空気の中から大きな集塵を捕集するプレフィルタの役割も担っている。そのため、有機物除去フィルタ３５３は有機物をより効果的に除去することができる。
【０１１１】
なお、上述の実施の形態１ないし３においては、空気調節装置として据え置き型の空気清浄機を例示して説明を行なったが、本発明の適用対象はこれに限定されるものではない。本発明における空気調節装置とは、装置外部から空気を装置内部へと導入し、導入した空気に何らかの処理を施した上で装置外部へと送出する装置全般を指すものである。したがって、空気調節装置は、上述の据え置き型の空気清浄機以外にも、壁掛け式の空気清浄機やビルトインタイプの空気清浄機、車載用の空気清浄機、さらには、空気調和機、除湿機、加湿器、電気ヒータ、石油ストーブ、石油ファンヒータ、ガスヒータ、冷蔵庫、クーラーボックス、建築物用の空調ダクト、車載用の空調ダクト等を含むものである。
【０１１２】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１１３】
【図１】本発明の実施の形態１における空気清浄機を前面側から見た概略斜視図である。
【図２】本発明の実施の形態１における空気清浄機を背面側から見た概略斜視図である。
【図３】本発明の実施の形態１における空気清浄機の上面図である。
【図４】本発明の実施の形態１における空気清浄機の前面パネル、フィルタ押さえ枠およびフィルタユニットの組付け構造を示す分解斜視図である。
【図５】（Ａ）は、フィルタ押さえ枠の正面図であり、（Ｂ）は、フィルタ押さえ枠の側面図であり、（Ｃ）は、フィルタ押さえ枠の上面図である。
【図６】フィルタ押さえ枠でフィルタユニットを本体ケーシングに取り付けた状態の概略正面図である。
【図７】本発明の実施の形態１における空気清浄機において、前面パネル、フィルタ押さえ枠およびフィルタユニットをケーシングから取外した状態の概略斜視図である。
【図８】本発明の実施の形態１における空気清浄機の図１に示すＶＩＩＩ−ＶＩＩＩ線に沿った模式断面図である。
【図９】本発明の実施の形態１における空気清浄機の図１に示すＩＸ−ＩＸ線に沿った模式断面図である。
【図１０】本発明の実施の形態１における空気清浄機において、本体ケーシングの背面部分を構成する部材を取外した状態を示す一部破断背面図である。
【図１１】本発明の実施の形態２における空気清浄機の断面模式図である。
【図１２】本発明の実施の形態２におけるフィルタユニットの断面図である。
【図１３】（Ａ）は、脱臭フィルタの正面図であり、（Ｂ）は、脱臭フィルタの一部破断断面図であり、（Ｃ）は、脱臭フィルタの上面図である。
【図１４】変形例１におけるフィルタユニットの断面図である。
【図１５】変形例２におけるフィルタユニットの断面図である。
【図１６】変形例３におけるフィルタユニットの断面図である。
【図１７】変形例４におけるフィルタユニットの断面図である。
【図１８】変形例５におけるフィルタユニットの断面図である。
【図１９】変形例６におけるフィルタユニットの断面図である。
【図２０】本発明の実施の形態３における空気清浄機の断面模式図である。
【図２１】本発明の実施の形態３におけるフィルタユニットの断面図である。
【符号の説明】
【０１１４】
１００，２００，３００  空気清浄機、１１０  本体ケーシング、１１２  脚部、１１４  把手部、１１６  上面パネル部、１１８  凹部、１２０  仕切り壁、１２１  連通孔、１２２  金属ガード、１２３  流路形成部材、１２４  吸込口、１２６Ａ，１２６Ｂ  吹出口、１２６ａ，１２６ｂ  ルーバ、１３０  シロッコファン、１３２  モータ、１３４  イオン発生装置、１３６  埃センサ、１３８  臭いセンサ、１４０  前面パネル、１４１  側部、１５０  フィルタ押さえ枠、１５０ａ  枠体、１５０ｂ  切込み部、１５０ｃ  引掛け部、１５０ｄ  差込み部、１５１，２５１，３５１  フィルタユニット、１５２，２５２，２５６，３５２  脱臭フィルタ、１５２Ａ  フィルタ取付け帯、１５３，３５３  有機物除去フィルタ、１５４，３５４  制菌／集塵フィルタ、１６０  電源ボタン、１６１  イオン発生装置の切換えボタン、１６２  運転モード切換えボタン、１６３  ショートカットボタン、１７１  イオン発生装置の動作状態表示ランプ、１７２  運転モード表示ランプ、１７３  ショートカット動作有無表示ランプ、１７４  汚れ状態表示部、１７４ａ  発光ダイオード、１７５  イオン発生装置の動作状態表示部、１７５ａ  発光ダイオード、１９０  電源コード、２５２ａ  触媒、２５２ｂ  脱臭剤、２５２ｃ  袋体、２５２ｄ  スペーサ、２５２ｅ  別の枠材、２５５  触媒フィルタ、Ｓ１  前方空間、Ｓ２  後方空間。
【図１】
2007029796.tif 000004
【図２】
2007029796.tif 000005
【図３】
2007029796.tif 000006
【図４】
2007029796.tif 000007
【図５】
2007029796.tif 000008
【図６】
2007029796.tif 000009
【図７】
2007029796.tif 000010
【図８】
2007029796.tif 000011
【図９】
2007029796.tif 000012
【図１０】
2007029796.tif 000013
【図１１】
2007029796.tif 000014
【図１２】
2007029796.tif 000015
【図１３】
2007029796.tif 000016
【図１４】
2007029796.tif 000017
【図１５】
2007029796.tif 000018
【図１６】
2007029796.tif 000019
【図１７】
2007029796.tif 000020
【図１８】
2007029796.tif 000021
【図１９】
2007029796.tif 000022
【図２０】
2007029796.tif 000023
【図２１】
2007029796.tif 000024
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
前面側に凹部が形成され、前記凹部の後方に連通孔を有する仕切り壁が設けられた本体ケーシングと、
前記仕切り壁の後方に配置されるとともに、吸込み面が前記連通孔と対面する送風ファンと、
前記凹部に配置され、一酸化炭素を除去する触媒を有する触媒フィルタと、臭い成分を除去する脱臭剤を有する脱臭フィルタとを含むフィルタユニットとを備え、
前記仕切り壁の前記連通孔と対向する位置に前記脱臭剤が配置されるとともに、前記脱臭剤の上方または下方に前記触媒が配置される、空気調節装置。
【請求項２】
前記フィルタユニットは、アルデヒド基を有する有機物を除去する１の有機物除去フィルタをさらに含み、
前記有機物除去フィルタが、前記触媒フィルタおよび前記脱臭フィルタより風下側に配置される、請求項１に記載の空気調節装置。
【請求項３】
前記脱臭フィルタの風上側に配置されるとともに、枠体の少なくとも一部に切込み部を有するフィルタ押さえ枠をさらに備え、
前記脱臭フィルタは、上方部にフィルタ取付け帯を有し、
前記切込み部に前記フィルタ取付け帯を係止することにより、前記脱臭フィルタと前記フィルタ押さえ枠とを接続する、請求項１または２に記載の空気調節装置。
【請求項４】
前記触媒と前記脱臭剤とを１のフィルタに含む、請求項１に記載の空気調節装置。
【請求項５】
前記フィルタユニットは、アルデヒド基を有する有機物を除去する１の有機物除去フィルタをさらに含み、
前記有機物除去フィルタが、前記１のフィルタより風下側に配置される、請求項４に記載の空気調節装置。
【請求項６】
前記１のフィルタが、前記脱臭剤を収納する複数の連結された脱臭剤収納室と、前記触媒を収納する複数の連結された触媒収納室とを有している、請求項４または５に記載の空気調節装置。
【請求項７】
前記１のフィルタの風上側に配置されるとともに、枠体の少なくとも一部に切込み部を有するフィルタ押さえ枠をさらに備え、
前記１のフィルタは、上方部にフィルタ取付け帯を有し、
前記切込み部に前記フィルタ取付け帯を係止することにより、前記１のフィルタと前記フィルタ押さえ枠とを接続する、請求項４〜６のいずれかに記載の空気調節装置。
【手続補正２】
【補正対象書類名】明細書
【補正対象項目名】００１１
【補正方法】変更
【補正の内容】
【００１１】
本発明の空気調節装置は、本体ケーシングと、送風ファンと、フィルタユニットとを備えている。本体ケーシングは、前面側に凹部が形成され、凹部の後方に連通孔を有する仕切り壁が設けられている。送風ファンは、仕切り壁の後方に配置されるとともに、吸込み面が連通孔と対面する。フィルタユニットは、凹部に配置され、一酸化炭素を除去する触媒を有する触媒フィルタと、臭い成分を除去する脱臭剤を有する脱臭フィルタとを含んでいる。仕切り壁の連通孔と対向する位置に脱臭剤が配置されるとともに、脱臭剤の上方または下方に触媒が配置される。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１５
【補正方法】変更
【補正の内容】
【００１５】
上記空気調節装置において好ましくは、フィルタユニットは、アルデヒド基を有する有機物を除去する１の有機物除去フィルタをさらに含み、有機物除去フィルタが、触媒フィルタおよび脱臭フィルタより風下側に配置される。
【手続補正６】
【補正対象書類名】明細書
【補正対象項目名】００１６
【補正方法】変更
【補正の内容】
【００１６】
これにより、空気中の一酸化炭素およびアルデヒド基を有する有機物を除去することができる。また、フィルタユニットが１の有機物除去フィルタを含むことにより、アルデヒド基を有する有機物を効果的に除去することができる。また、フィルタユニットにおいて、触媒を含むフィルタはファンにより吸い込まれた空気の中から大きな集塵を捕集するプレフィルタの役割も担っている。そのため、有機物除去フィルタは有機物をより効果的に除去することができる。
【手続補正７】
【補正対象書類名】明細書
【補正対象項目名】００１９
【補正方法】変更
【補正の内容】
【００１９】
上記空気調節装置において好ましくは、脱臭フィルタの風上側に配置されるとともに、枠体の少なくとも一部に切込み部を有するフィルタ押さえ枠をさらに備え、脱臭フィルタは、上方部にフィルタ取付け帯を有し、切込み部にフィルタ取付け帯を係止することにより、脱臭フィルタとフィルタ押さえ枠とを接続する。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２３
【補正方法】変更
【補正の内容】
【００２３】
上記空気調節装置において好ましくは、フィルタユニットは、アルデヒド基を有する有機物を除去する１の有機物除去フィルタをさらに含み、有機物除去フィルタが、１のフィルタより風下側に配置される。
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
上記空気調節装置において好ましくは、１のフィルタが、脱臭剤を収納する複数の連結された脱臭剤収納室と、触媒を収納する複数の連結された触媒収納室とを有している。これにより、フィルタユニットの薄型化を図ることができる。
【手続補正１３】
【補正対象書類名】明細書
【補正対象項目名】００２６
【補正方法】変更
【補正の内容】
【００２６】
上記空気調節装置において好ましくは、１のフィルタの風上側に配置されるとともに、枠体の少なくとも一部に切込み部を有するフィルタ押さえ枠をさらに備え、１のフィルタは、上方部にフィルタ取付け帯を有し、切込み部に前記フィルタ取付け帯を係止することにより、前記１のフィルタと前記フィルタ押さえ枠とを接続する。
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】